(57)【要約】【解決手段】  熊避けベル１は、ワン状に形成された音響ワン部２と、音響ワン部に衝突して警告音を発生させる打撃部３と、上記音響ワン部の内部と外部とを連通させる貫通孔１２ａの形成された連結部材４と、一端が上記連結部材に他端が上記打撃部に連結され、かつ上記打撃部と連結部材との中間に折り返し部５ａの形成されたワイヤー５とを備えている。  警告音停止状態では、折り返し部を音響ワン部から離隔させることにより、打撃部を連結部材に当接させて該打撃部が音響ワン部の内面に衝突するのを阻止し、警告音発生状態では、上記打撃部を連結部材から離隔させることにより、上記折り返し部が音響ワン部に接近するとともに、該打撃部が音響ワン部の内面に衝突するのを許容する。【効果】  警告音発生状態と警告音停止状態とを片手でも容易に切り換えることができる。【選択図】  図１
2012085563.tif 000002
【特許請求の範囲】
【請求項１】
開口部を有するワン状に形成された音響ワン部と、音響ワン部の内部に配置されて該音響ワン部に衝突して警告音を発生させる打撃部とを備えた熊避けベルであって、
上記打撃部と音響ワン部との衝突を許容して警告音を発生させる警告音発生状態と、衝突を阻止して警告音が発生しないようにした警告音停止状態とに切り換え可能な熊避けベルにおいて、
上記音響ワン部の底部中央に取り付けられて、該音響ワン部の内部と外部とを連通させる貫通孔の形成された連結部材と、一端が上記連結部材に連結されるとともに他端が音響ワン部の内部に配置された上記打撃部に連結され、かつ上記打撃部と連結部材との中間に形成されて上記貫通孔より上記打撃部との連結部分から外部に引き出されて折り返された折り返し部の形成されたワイヤーとを備え、
上記警告音停止状態では、折り返し部を音響ワン部から離隔させることにより、打撃部を連結部材に当接させて該打撃部が音響ワン部の内面に衝突するのを阻止し、
上記警告音発生状態では、上記打撃部を連結部材から離隔させることにより、上記折り返し部が音響ワン部に接近するとともに、該打撃部が音響ワン部の内面に衝突するのを許容することを特徴とする熊避けベル。
【請求項２】
上記音響ワン部を挟んで打撃部の反対側となる位置に、上記ワイヤーが通過するリング状の保持部材を設け、
該保持部材の位置に上記折り返し部を位置させることで、上記警告音停止状態とする際には、上記保持部材を音響ワン部から離隔させることを特徴とする熊避けベル。
【請求項３】
上記ワイヤーにおける上記連結部材と上記保持部材との間に、上記保持部材に係合する係合部材を設け、
上記警告音発生状態では、上記係合部材が保持部材に係合して、上記打撃部と上記連結部材との距離が、上記打撃部による上記音響ワン部への衝突が好適となるようにしたことを特徴とする請求項２に記載の熊避けベル。
【請求項４】
上記打撃部における連結部材側の端部に凸部を形成するとともに、上記連結部材における打撃部側の端部に凹部を形成して、
上記警告音停止状態において、上記打撃部の凸部と上記連結部材の凹部とが相互に嵌合することを特徴とする請求項１ないし請求項３のいずれかに記載の熊避けベル。
【請求項５】
上記連結部材に、音響ワン部の上部から該音響ワン部の直径方向に広がる傘状部を設け、該傘状部の直径を上記音響ワン部の直径よりも大径としたことを特徴とする請求項１ないし請求項４のいずれかに記載の熊避けベル。
【発明の詳細な説明】
【技術分野】
【０００１】
本発明は熊避けベルに関し、詳しくは打撃部と音響ワン部とが衝突して警告音を発生させる警告音発生状態と、衝突を阻止して警告音が発生しないようにした警告音停止状態とに切り換え可能な熊避けベルに関する。
【背景技術】
【０００２】
従来、ハイキングや山野草採取を行う際、熊との遭遇を避けるための警告音を発生させる熊避けベルが知られており、このような熊避けベルは、音響ワン部状に形成された音響ワン部と、該音響ワン部の内部で揺動して音響ワン部との衝突により警告音を発生させる打撃部とを備えている。
このような熊避けベルは、例えば電車や市街地などにおいて警告音が発生すると他者への迷惑となることから、上記打撃部と音響ワン部とが衝突して警告音を発生させる警告音発生状態と、衝突を阻止して警告音が発生しないようにした警告音停止状態とに切り換え可能とした熊避けベルも知られている（特許文献１）。
この特許文献１の熊避けベルは、上記音響ワン部と上記打撃部とを螺合させる構成を有しており、警告音発生状態ではこれらを螺合させることにより打撃部の揺動を許容して警告音を発生させるようになっている。
一方、警告音停止状態では音響ワン部より打撃部を離脱させて該打撃部を音響ワン部の底部に常に接触させ、これにより警告音の発生を阻止するようになっている。
【先行技術文献】
【特許文献】
【０００３】
【特許文献１】特開２００５−３２８８１５号公報
【発明の概要】
【発明が解決しようとする課題】
【０００４】
しかしながら、上記特許文献１の熊避けベルの場合、警告音発生状態および警告音停止状態とする際には、音響ワン部と打撃部とを相互に回転させる必要があるため片手での操作が困難であり、例えばリュックサックに熊避けベルを装着した際には、切り換えのたびにリュックサックを下ろして操作する必要があった。
このような問題に鑑み、本発明は警告音発生状態と警告音停止状態とを片手でも容易に切換可能な熊避けベルを提供するものである。
【課題を解決するための手段】
【０００５】
すなわち、本発明における熊避けベルは、開口部を有するワン状に形成された音響ワン部と、音響ワン部の内部に配置されて該音響ワン部に衝突して警告音を発生させる打撃部とを備えた熊避けベルであって、
上記打撃部と音響ワン部との衝突を許容して警告音を発生させる警告音発生状態と、衝突を阻止して警告音が発生しないようにした警告音停止状態とに切り換え可能な熊避けベルにおいて、
上記音響ワン部の底部中央に取り付けられて、該音響ワン部の内部と外部とを連通させる貫通孔の形成された連結部材と、一端が上記連結部材に連結されるとともに他端が音響ワン部の内部に配置された上記打撃部に連結され、かつ上記打撃部と連結部材との中間に形成されて上記貫通孔より上記打撃部との連結部分から外部に引き出されて折り返された折り返し部の形成されたワイヤーとを備え、
上記警告音停止状態では、折り返し部を音響ワン部から離隔させることにより、打撃部を連結部材に当接させて該打撃部が音響ワン部の内面に衝突するのを阻止し、
上記警告音発生状態では、上記打撃部を連結部材から離隔させることにより、上記折り返し部が音響ワン部に接近するとともに、該打撃部が音響ワン部の内面に衝突するのを許容することを特徴としている。
【発明の効果】
【０００６】
上記発明によれば、上記音響ワン部と打撃部とを上記連結部材およびワイヤーを介して連結したことで、警告音停止状態とするには折り返し部を音響ワン部から離隔させ、また警告音発生状態とするには上記打撃部を連結部材から離隔させるだけでよいことから、片手での操作が可能であり、切り換えを容易に行うことが可能となっている。
【図面の簡単な説明】
【０００７】
【図１】警告音発生状態とした熊避けベルの断面図
【図２】警告音停止状態とした熊避けベルの断面図
【図３】連結部材を説明する平面図
【図４】連結部材を説明する底面図
【発明を実施するための形態】
【０００８】
以下、図示実施例について説明すると、図１、図２はハイキング等の際に、警告音を発生させることによって熊の接近を防止する熊避けベル１の断面図を示し、図１は熊避けベル１から警告音が発生する警告音発生状態を、図２は打撃音が発生しない警告音停止状態をそれぞれ示している。
熊避けベル１は、開口部を有するワン状に形成された音響ワン部２と、音響ワン部２の内部に配置されて該音響ワン部２に衝突して警告音を発生させる打撃部３と、上記音響ワン部２の底部中央に取り付けられた連結部材４と、一端が上記連結部材４に連結されるとともに他端が上記打撃部３に連結され、かつ上記打撃部３と連結部材４との中間で折り返されたワイヤー５と、上記ワイヤー５が通過するリング状の保持部材としてのカラビナ６と、上記連結部材４とカラビナ６との間に設けられたチューブ状の係合部材７とから構成されている。
上記構成を有する本実施例の熊避けベル１によれば、上記カラビナ６をリュックサックやズボンのベルトループに装着することで、該カラビナ６に対して上記音響ワン部２や打撃部３が下方にぶら下がった状態となり、上記警告音発生状態とした際には打撃部３が音響ワン部２に衝突して警告音が発生するようになっている。
上記音響ワン部２は有底筒状に形成された金属製の部材となっており、上方に位置する底部の中央には上記連結部材４を装着するための貫通孔２ａが形成されている。
上記打撃部３は略球状に形成された金属製の部材となっており、その中央には上記ワイヤー５が貫通する貫通孔３ａが形成され、該貫通孔３ａの下方には上記ワイヤー５が貫通するチューブ状の操作つまみ８が収容されている。
また、上記打撃部３には音響ワン部２に向けて先端にテーパ形状の形成された凸部３ｂが形成されており、さらに該凸部３ｂを囲繞するように環状突起３ｃが形成されている。
【０００９】
上記連結部材４は、音響ワン部２の内部に位置するとともに図示上端が該音響ワン部２の貫通孔２ａより外部に突出する収容部１１と、該収容部１１における音響ワン部２より外部に突出した部分に嵌合するキャップ１２と、上記キャップ１２に挿入されるピン１３とから構成され、上記キャップ１２にはワイヤー５を通過させる貫通孔１２ａが形成されている。
そして図３は上記連結部材４を音響ワン部２の内部側（下方）から見た図を、図４は外部側（上方）から見た図をそれぞれ示している。
図３に示すように、上記収容部１１には下方に向けて開口する２つの凹部１１ａが形成されており、図２に示すように一方の凹部１１ａには上記ワイヤー５に設けた後述する第１突起２１が収容され、他方の凹部１１ａには上記打撃部３に形成した凸部３ｂが収容されるようになっている。
この凹部１１ａの上方には、上記ワイヤー５が通過可能な幅で上記貫通孔１２ａに連通するスリット１１ｂが設けられており、このスリット１１ｂは図３に示すように図示右方の側面に開口し、熊避けベル１を製造する際には、このスリット１１ｂを通過させるようにワイヤー５を上記凹部１１ａに収容するようになっている。
さらに上記凹部１１ａのうち、上記打撃部３の凸部３ｂが収容される凹部１１ａの内周面には、上記環状突起３ｃと嵌合する環状溝１１ｃが形成されており、図２に示す警告音停止状態において、上記環状突起３ｃと環状溝１１ｃとが嵌合することで上記連結部材４から打撃部３が脱落しないように保持されるようになっている。
【００１０】
上記キャップ１２は、上述したように上記収容部１１と嵌合することによりキャップ１２との間で上記音響ワン部２をぐらつかないように挟持するとともにし、またワイヤー５が収容部１１のスリット１１ｂから脱落するのを阻止するようになっている。
また記キャップ１２には、音響ワン部２の上部から該音響ワン部２の直径方向に広がる傘状部１２ｂが形成されており、この傘状部１２ｂの直径は上記音響ワン部２の直径よりも大径となっている。
図４に示すように、キャップ１２に形成された貫通孔１２ａには、対向する位置に２つの溝１２ｃが形成されており、該溝１２ｃは上記収容部１１の凹部１１ａに収容されるワイヤー５の間隔にあわせて形成されている。
上記ピン１３は、上記キャップ１２の貫通孔１２ａに挿入され、図４の図示上下となるピン１３の側面には突起１３ａが形成されており、キャップ１２の内部に形成した図示しない凹部１１ａに係合して貫通孔１２ａより脱落しないようになっている。
またピン１３の側面には、上記キャップ１２の貫通孔１２ａに形成された溝１２ｃと対応する位置に溝１３ｂが形成されており、上記キャップ１２とピン１３とに形成した溝１２ｃ、１３ｂによって上記ワイヤー５を囲繞するようになっている。
【００１１】
上記ワイヤー５について説明すると、ワイヤー５は中心に設けられた金属製の線材と、これを囲繞する樹脂製のコーティングとによって構成された柔軟な部材となっている。
またワイヤー５の両端には、上記連結部材４に連結される第１突起２１と、上記打撃部３の下方に位置して上記打撃部３との間で上記操作つまみ８を挟持する第２突起２２とが設けられている。
そしてワイヤー５の中間、換言すると上記打撃部３と連結部材４との中間には、音響ワン部２の外部に引き出されるとともに上記カラビナ６の位置で折り返された折り返し部５ａが形成されている。
この折り返し部５ａは図１、図２に示すように上記音響ワン部２とカラビナ６との距離に応じてワイヤー５が変形するため、カラビナ６の位置に応じてずれるようになっている。
上記第１突起２１は上記収容部１１の下部に形成された凹部１１ａに収容され、上記ワイヤー５はこの第１突起２１より図示上方に突出して、上記連結部材４の貫通孔１２ａを通過して音響ワン部２の内部から外部に引き出されるようになっている。
【００１２】
上記係合部材７は、上記連結部材４とカラビナ６との間に設けられたチューブ状の部材となっており、具体的には上記連結部材４より引き出されて上記カラビナ６の位置で折り返した折り返し部５ａから音響ワン部２側に延びる２本のワイヤー５が通過するように設けられている。
この係合部材７は、図１に示す上記警告音発生状態となると、上記カラビナ６に図示下方から係合するようになっており、これによりカラビナ６（折り返し部５ａ）がこれ以上音響ワン部２（連結部材４）に接近しないように移動が規制されるようになっている。
一方、図２に示す警告音停止状態とし、カラビナ６（折り返し部５ａ）が音響ワン部２（連結部材４）より離隔すると、上記ワイヤー５が変形して折り返し部５ａの位置がずれ、カラビナ６（折り返し部５ａ）が係合部材７より上方に離隔することとなる。
【００１３】
以下、上記構成を有する熊避けベル１について説明する。
熊避けベル１は、上記カラビナ６によってリュックサックやズボンのベルトループなどに装着可能となっており、図１に示す警告音発生状態においては、上記連結部材４より打撃部３が下方に離隔していることから、ワイヤー５によって揺動した打撃部３が音響ワン部２に衝突して警告音を発生させるようになっている。
熊避けベル１がカラビナ６からぶら下げられている状態において、上記連結部材４に設けた傘状部１１ｃは上記音響ワン部２よりも大径となっていることから、該傘状部１１ｃは音響ワン部２よりも先に上記リュックサックや使用者に接触するようになっている。
これにより、音響ワン部２がリュックサックや使用者に接触することが防止され、音響ワン部２に打撃部３が衝突した際に発生される警告音が損なわれないようになっている。
【００１４】
次に、この図１に示す警告音発生状態から図２に示す警告音停止状態とする場合について説明すると、使用者は音響ワン部２または上記傘状部１１ｃを把持して、これを下方に向けて移動させる。
すると、上記カラビナ６が音響ワン部２から離隔し、上記ワイヤー５が上記連結部材４におけるキャップ１２およびピン１３に形成した溝１２ｃ、１３ｂに沿って摺動する。
その結果、音響ワン部２より上方に突出するワイヤー５が長くなり、ワイヤー５の折り返し部５ａの位置がずれて、それまでカラビナ６に係合していた係合部材７が相対的に下方へと離脱する。
一方、音響ワン部２より上方に突出するワイヤー５が長くなると、逆に上記連結部材４と打撃部３との間に位置していたワイヤー５が短くなるため、連結部材４と打撃部３とが相対的に接近することとなる。
そして連結部材４と打撃部３とが接触するとともに、連結部材４に形成した凹部１１ａに打撃部３の凸部３ｂが嵌合すると、打撃部３は音響ワン部２の内部で揺動できなくなり、警告音の発生が阻止されることとなる。
このようにして連結部材４に形成した凹部１１ａに打撃部３の凸部３ｂが嵌合すると、それ以上使用者は音響ワン部２を下方に移動させることができなくなるため、これにより警告音停止状態になったことがわかる。
一方、上記打撃部３の凸部３ｂに形成した環状突起３ｃは上記連結部材１１ａに形成した環状溝１１ｃに嵌合するため、これにより打撃部３は連結部材４より脱落しないように連結され、警告音停止状態が維持されるようになっている。
【００１５】
次に図２の警告音停止状態から、図１の警告音発生状態とする場合、使用者は打撃部３に設けられた上記操作つまみ８を把持して、これを下方に向けて移動させる。
すると、上記打撃部３が連結部材４から離隔して、上記ワイヤー５が上記連結部材４に形成した溝１２ｃ、１３ｂに沿って摺動抵抗に抗しながら摺動し、音響ワン部２より上方に突出するワイヤー５が短くなるとともに、ワイヤー５の中央に位置する折り返し部５ａの位置がずれ、カラビナ６と連結部材４とが相互に接近してゆく。
そして、それまでカラビナ６より離脱していた係合部材７がカラビナ６に係合することで、カラビナ６（折り返し部５ａ）と連結部材４との接近が規制されることから、使用者はこれ以上操作つまみ８を移動させることができなくなり、熊避けベル１が警告音発生状態となったことがわかる。
一方、音響ワン部２より上方に突出するワイヤー５が短くなると、逆に上記連結部材４と打撃部３との間に位置するワイヤー５が長くなることから、連結部材４から打撃部３が離脱し、打撃部３がワイヤー５によって揺動可能となる。
そして、上記係合部材７によって連結部材４（音響ワン部２）とカラビナ６（折り返し部５ａ）との距離が所要の距離に設定されることから、打撃部３がワイヤー５によって揺動すると、該打撃部３が音響ワン部２の開口部に衝突し、良好な警告音を得ることが可能となっている。
【００１６】
上記実施例における熊避けベル１によれば、上記警告音発生状態または警告音停止状態とする際に、使用者はこの熊避けベル１の音響ワン部２または打撃部３に設けた操作つまみ８を下方に移動させればよいため、この切り換え操作を片手で操作することができ、また使用者は熊避けベル１がリュックサックに装着されるなど視認できない状態であっても、これを操作することができる。
これにより、例えば電車や市街地など、警告音が他の通行人等に対して迷惑となる場合や、熊が発生しそうな地域に侵入した場合において、使用者はいちいちリュックサックを下ろす必要がなく、手探りで警告音発生状態または警告音停止状態に切り換えることができる。
【符号の説明】
【００１７】
１  熊避けベル                ２  音響ワン部
３  打撃部                    ４  連結部材
５  ワイヤー                  ６  カラビナ（保持部材）
７  係合部材                  １２ａ  貫通孔
【図１】
2012085563.tif 000003
【図２】
2012085563.tif 000004
【図３】
2012085563.tif 000005
【図４】
2012085563.tif 000006